(57)【要約】【課題】  障子上部の上枠との掛かりが無くなったときでも、障子が枠から外れるのを防止できる建具の提供。【解決手段】  枠１と、上下枠に沿って摺動可能に設けた障子３とを備え、枠１は、上枠４の室内側に外れ止め部品６が上枠４の略全長に亘って設けてあり、外れ止め部品６は、上枠４の室内側壁５の室内側に上枠４の下縁よりも下方に垂下する外れ止め片７を有する。【選択図】      図１
2019203379.tif 000002
【特許請求の範囲】
【請求項１】
枠と、上下枠に沿って摺動可能に設けた障子とを備え、枠は、上枠の室内側に外れ止め部品が上枠の略全長に亘って設けてあり、外れ止め部品は、上枠の室内側壁の室内側に上枠の下縁よりも下方に垂下する外れ止め片を有することを特徴とする建具。
【請求項２】
枠と、上下枠に沿って摺動可能に設けた障子とを備え、枠は、上枠に外れ止め部品が設けてあり、外れ止め部品は、上枠の室外側壁の室内側面に当接して上框の室外側に垂下する外れ止め片を有する略Ｌ形断面の長尺部材であり、上枠のレールよりも室外側の上枠と障子との間の隙間に配置され、上枠の内周面に取付けてあることを特徴とする建具。
【発明の詳細な説明】
【技術分野】
【０００１】
本発明は、上下枠に沿って摺動する障子を備える建具に関する。
【背景技術】
【０００２】
引戸式のサッシの障子は、上枠と下枠間に上下けんどん式に建て込んでいるが、障子が下がると、障子上部の上枠のレールとの掛かりが無くなり、外障子が室外側に、内障子が室内側に外れるおそれがあった。
【発明の概要】
【発明が解決しようとする課題】
【０００３】
本発明は以上に述べた実情に鑑み、障子上部の上枠との掛かりが無くなったときでも、障子が枠から外れるのを防止できる建具の提供を目的とする。
【課題を解決するための手段】
【０００４】
上記の課題を達成するために請求項１記載の発明による建具は、枠と、上下枠に沿って摺動可能に設けた障子とを備え、枠は、上枠の室内側に外れ止め部品が上枠の略全長に亘って設けてあり、外れ止め部品は、上枠の室内側壁の室内側に上枠の下縁よりも下方に垂下する外れ止め片を有することを特徴とする。
【０００５】
請求項２記載の発明による建具は、枠と、上下枠に沿って摺動可能に設けた障子とを備え、枠は、上枠に外れ止め部品が設けてあり、外れ止め部品は、上枠の室外側壁の室内側面に当接して上框の室外側に垂下する外れ止め片を有する略Ｌ形断面の長尺部材であり、上枠のレールよりも室外側の上枠と障子との間の隙間に配置され、上枠の内周面に取付けてあることを特徴とする。
【発明の効果】
【０００６】
請求項１記載の発明による建具は、上枠の室内側に外れ止め部品が上枠の略全長に亘って設けてあり、外れ止め部品は、上枠の室内側壁の室内側に上枠の下縁よりも下方に垂下する外れ止め片を有するので、障子が下がって障子上部の上枠との掛かりが無くなったときに、障子が上枠の長手方向のどの位置にあっても障子が室内側に外れるのを確実に防止できる。外れ止め部品は、上枠の室内側に設けるので、取付けがしやすい。
【０００７】
請求項２記載の発明による建具は、上枠に外れ止め部品が設けてあり、外れ止め部品は、上枠の室外側壁の室内側面に当接して上框の室外側に垂下する外れ止め片を有する略Ｌ形断面の長尺部材であり、上枠のレールよりも室外側の上枠と障子との間の隙間に配置され、上枠の内周面に取付けてあるので、障子が下がって障子上部の上枠との掛かりが無くなったときに、障子が室外側に外れるのを確実に防止できる。外れ止め部品は、既存の枠にそのまま取付け可能であり、施工性が良い。
【図面の簡単な説明】
【０００８】
【図１】本発明の建具の第１実施形態を示す縦断面図である。
【図２】同建具の内障子が下がったときの状態を示す縦断面図である。
【図３】内障子を上下枠間に建て込むときの状態を示す縦断面図である。
【図４】本発明の建具の第２実施形態を示す縦断面図である。
【図５】本発明の建具の第３実施形態を示す縦断面図である。
【図６】（ａ）は第３実施形態の建具の外れ止め部品の側面図、（ｂ）は同平面図である。
【図７】同外れ止め部品の取付け手順を示す室内側正面図である。
【図８】本発明の建具の第４実施形態を示す縦断面図である。
【図９】同建具の内障子が下がったときの状態を示す縦断面図である。
【図１０】内障子を上下枠間に建て込むときの状態を示す縦断面図である。
【図１１】第４実施形態の建具の変形例を示す縦断面図である。
【図１２】本発明の建具の第５実施形態を示す縦断面図である。
【図１３】同建具の室外側正面図である。
【図１４】同建具の外れ止め部品の取付け手順を示す室外側正面図である。
【図１５】同建具の外障子が下がったときの状態を示す縦断面図である。
【発明を実施するための形態】
【０００９】
以下、本発明の実施の形態を図面に基づいて説明する。図１は、本発明の建具の第１実施形態を示している。この建具は、ビル用の引違い窓に適用したものであって、躯体（図示省略）の開口部に取付けられる枠１と、枠１内に引違い状に開閉自在に設けた外障子２と内障子３を備える。
枠１は、上枠４と下枠と左右の縦枠を四周枠組みして構成してある。外障子２と内障子３は、上框９と下框と戸先框と召合せ框とを四周框組みし、その内側に複層ガラス３６を嵌め込んで構成してある。
【００１０】
上枠４は、図１に示すように、室外側端部に室外側壁８を垂下して設けてあり、室外側壁８の室内側に外障子２の上部を案内するレール１１が垂下して設けてある。さらに上枠４は、室内外方向の中間に中間垂下片１３を有し、室内側端部に室内側壁５が垂下して設けてあり、中間垂下片１３と室内側壁５との間の溝１４に内障子３の上部を案内している。中間垂下片１３と室内側壁５の下部には、室外側に向けてタイト材１５が設けてあり、各タイト材１５が外障子２の室内側面と内障子３の室内側面にそれぞれ当接している。また上枠４は、額縁等に重ねてねじ止めされるアングル１６が室内側に突出して設けてある。
【００１１】
上枠４の室内側には、図１に示すように、外れ止め部品６が上枠４の略全長に亘って設けてある。外れ止め部品６は、ベース材１７と目板１８の二部材からなる。ベース材１７は、上枠４の室内側壁５の室内側面に当接して配置される外れ止め片７と、上枠４のアングル１６を覆うカバー片１９と、カバー片１９の室内側端部に垂下する垂下片２０とを有する略コ字形断面となっている。外れ止め片７は、上枠４の室内側壁５の下縁よりも下方まで垂下しており、上枠４の室内側壁５の下縁に係止する係止部２１と、下端部に室外側に突出する突部２２を有している。外れ止め片７と垂下片２０には、目板１８が係止する係止突条２３，２３が対向して設けてある。ベース材１７は、外れ止め片７を上枠４の室内側壁５の室内側に当接すると共に、カバー片１９を上枠４のアングル１６の内周側に重ね、下方からのねじ２４でアングル１６と共締めして躯体に取付けてある。目板１８は、一対の脚部２５，２５を有し、脚部２５，２５をベース材１７の係止突条２３，２３に弾発的に係止して取付けられ、アングル１６及びベース材１７を躯体に取付けているねじ２４を隠している。
【００１２】
図２は、地震等による躯体の下がりなど、何らかの原因で内障子３が下がったときの状態を示している。このように本建具は、内障子３が下がって内障子３上部の上枠４との掛かりが無くなったときに、上枠４の室内側に設けた外れ止め部品６の外れ止め片７に内障子３の上部が引っ掛かることで、内障子３が室内側に外れるのを防止することができる。
図３は、内障子３を上下枠間に建て込むときの状態を示している。同図に示すように、内障子３を室外側に倒すことで、外れ止め片７が垂下していても支障なく内障子３を建て込むことができる。
【００１３】
以上に述べたように本建具は、上枠４の室内側に外れ止め部品６が上枠４の略全長に亘って設けてあり、外れ止め部品６は、上枠４の室内側壁５の室内側に上枠４の下縁よりも下方に垂下する外れ止め片７を有するので、内障子３が下がって内障子３上部の上枠４との掛かりが無くなったときに、内障子３が上枠４の長手方向のどの位置にあっても内障子３が室内側に外れるのを確実に防止できる。外れ止め部品６は、上枠４の室内側に設けるので取付けが容易であり、既存のサッシの上枠４に後付けすることも容易である。また、外れ止め部品６により上枠４のアングル１６を躯体に固定しているねじ２４を隠したので、室内から上枠４を見上げたときにねじ２４が見えず、意匠性が向上する。
外れ止め片７を上枠４の室内側壁５の室内側に当接して設けたことで、内障子３が下がって上枠４との掛かりが無くなったときに、外れ止め片７を内障子３上部を上枠４の長手方向に沿って案内するサブレールとして機能させられる。また、外れ止め片７が内障子３に風圧（正圧）を受けたときの補強となる。
外れ止め片７に上枠４の室内側壁５の下縁に係止する係止部２１を有することで、外れ止め部品６を取付ける際に、係止部２１を上枠４の室内側壁５の下縁に係止させ、外れ止め部品６の位置合わせができる。外れ止め片７の下端部に室外側に突出する突部２２を有していることで、外れ止め片７を内障子３側に近付けて配置できると共に、内障子３が下がって上枠４との掛かりが無くなったときに、外れ止め片７の突部２２の先端で内障子３と線接触するため、内障子３を摺動させやすい。
外れ止め部品６を上枠４の室内側壁５とアングル１６に沿って設け、アングル１６に内周側からのねじ２４で取付けたことで、外れ止め片７で内障子３を受けたときに、ねじ２４が荷重を引き抜き力ではなくせん断力で受けるため、外れ止め部品６の取付強度が高い。
外れ止め部品６を樹脂製とした場合には、断熱性が向上すると共に、結露を防止できる。
【００１４】
図４は、本発明に係る建具の第２実施形態を示している。本実施形態は、外れ止め部品６のベース材１７が、上枠４のアングル１６を覆うカバー片１９を有しないものとなっており、外れ止め片７を室内側からのねじ２６で上枠４の室内側壁５に固定してあり、ベース材１７に室内側から取付けた目板１８にてねじ２６を隠している。
本実施形態も第１実施形態と同様に、内障子３が室内側に外れるのを防止する効果がある。本実施形態によれば、上枠４にアングル１６を有しない場合でも外れ止め部品６を取付けることができる。
【００１５】
図５は、本発明に係る建具の第３実施形態を示している。本実施形態は、外れ止め部品６は単一の部品で構成され、上枠４のアングル１６を覆うカバー片１９が上壁２７と下壁２８とで二重に構成され、上壁２７とアングル１６との間と、上壁２７と下壁２８との間に空間が設けてある。上壁２７には、図６に示すように、大径部２９ａと小径部２９ｂとを左右方向に隣接して有するダルマ穴２９が形成してある。
上枠４のアングル１６を躯体に固定しているねじ２４は、図５に示すように、ねじ頭２４ａにくびれ部３０を有する段付きねじとなっている。
この外れ止め部品６の取付け方を説明すると、図７（ａ）に示すように、上枠４のアングル１６を段付きねじ２４で躯体にあらかじめ固定した上で、ねじ２４のねじ頭２４ａをダルマ穴２９の大径部２９ａに通過させつつ外れ止め部品６をアングル１６に下から当てがう。その後、外れ止め部品６を上枠４の長手方向に沿ってスライドさせ、すると段付きねじ２４のねじ頭２４ａのくびれ部３０がダルマ穴２９の小径部２９ｂに係止し、外れ止め部品６が上枠４から離脱不能に固定される。
【００１６】
上記の第３実施形態も、第１実施形態と同様に、内障子３が室内側に外れるのを防止する効果がある。また、上枠４のアングル１６を固定しているねじ２４が外れ止め部品６で隠れるので、意匠性が向上する。
【００１７】
図８は、本発明に係る建具の第４実施形態を示している。本実施形態は、外れ止め部品６が略コ字形断面のベース材１７と、ベース材１７の室内側壁の下端部に水平な軸部３１で回動可能に設けた外れ止め片７とで構成されている。ベース材１７は、上枠４のアングル１６の内周側に重ね、下方からのねじ２４でアングル１６と共締めしてある。ベース材１７の室外側壁は、下縁が上枠４の室内側壁５の下縁よりも高い位置にあり、室内側に外れ止め片７のための鉤状の係止部３２が設けてある。外れ止め片７は、ベース材１７の室内側壁と連続するように下方に垂下しており、上端部室内側に設けた突起３３がベース材１７の溝３４に係止して、その姿勢に保持されている。また外れ止め片７は、上記のように下方に垂下した状態から室内側には回動不能であり、軸部３１を支点に室外側にのみ回動可能となっている。
【００１８】
図９は、何らかの原因で内障子３が下がったときの状態を示している。このように本建具は、内障子３が下がって内障子３上部の上枠４との掛かりが無くなったときに、上枠４の室内側に設けた外れ止め部品６の外れ止め片７に内障子３の上部が引っ掛かることで、内障子３が室内側に外れるのを防止することができる。
図１０は、内障子３を上下枠間に建て込むときの状態を示している。このときは同図に示すように、外れ止め片７を軸部３１を支点に室外側に回動させてベース材１７の係止部３２に係止させることで、外れ止め片７が上枠４の下縁より飛び出さない状態にできる。これにより内障子３を上下枠間に建て込む作業が一層容易に行える。なお、必ずしも外れ止め片７を室外側に回動させて係止部３２に係止させてなくても、内障子３の上部が外れ止め片７に当たれば外れ止め片７は室外側に回動するため、内障子３を建て込むことができる。また、外れ止めが不要なときにも、同様に外れ止め片７を室外側に回動させて係止部３２に係止させておくことで、外れ止め片７が目障りにならない。またこのとき、上枠４のアングル１６を躯体に固定しているねじ２４が外れ止め片７で隠れるので、意匠性が向上する。外れ止め片７は、障子３に合わせて長さ・形状の異なるものに付け替えることができる。
【００１９】
図１１は、第４実施形態の建具の変形例を示している。本実施形態は、外れ止め片７の軸部３１が係合する係合部３５と、外れ止め片７を室外側に回動させたときに係止する係止部３２を上枠４に一体的に設け、別体のベース材１７を無くしたものである。
【００２０】
図１２，１３は、本発明に係る建具の第５実施形態を示している。これまでに説明した実施形態は内障子３が室内側に外れるのを防止するものであったが、本実施形態は外障子２が室外側に外れるのを防止するものである。
本実施形態の建具は、上枠４に外れ止め部品１０が設けてあり、外れ止め部品１０は、上枠４の室外側壁８の室内側面に当接して上框９の室外側に垂下する外れ止め片１２と、上枠４の内周面４ａに当接する取付片３７とを有する略Ｌ形断面の長尺部材であり、上枠４のレール１１よりも室外側の上枠４と外障子２との間の隙間に配置され、取付片３７を下方からのねじ３８で上枠４の内周面４ａに取付けてある。外れ止め片１２は、上枠４の室外側壁８の下縁に沿ってクランク状に曲がった係止部３９を有し、係止部３９を上枠４の室外側壁８の下縁に係止している。外れ止め片１２の係止部３９より上の部分１２ａは、上枠４の室外側壁８の室内側面に当接しており、係止部３９より下の部分１２ｂは、室外側面が上枠４の室外側壁８の室外側面と面一になっている。外れ止め片１２の下端部には、室内側に向けて突出する突部４０を有している。
外れ止め部品１０は、図１３に示すように、上枠４の略全長に亘って設けてある。また外れ止め部品１０は、室外側から見て左側に位置する左部材１０ａと、室外側から見て右側に位置する右部材１０ｃと、左部材１０ａと右部材１０ｃの間に位置する中間部材１０ｂの３つに分割されている。なお、外障子２は閉鎖した状態で室外側から見て右側に位置し、内障子３は閉鎖した状態で室外側から見て左側に位置しており、右部材１０ｃは外障子２の横幅よりも少し短く、左部材１０ａは内障子３の横幅よりも少し短くなっている。
【００２１】
次に、外れ止め部品１０の取付け手順を説明する。まず、図１４（ａ）に示すように、内外障子２，３を閉鎖した状態として、外れ止め部品１０の左部材１０ａを取付ける。このとき、室外側から見て左半分には外障子２が無いから、左部材１０ａは上枠４に下方より容易に取付けできる。次に、図１４（ｂ）に示すように、外障子２を室外側から見て左側にスライドさせて外障子２を全開とし、外障子２の戸先側より上枠４と外障子２との隙間に外れ止め部品１０の中間部材１０ｂを差し入れ、下方からねじ３８を打って固定する。ねじ３８を打つ際に外障子２が邪魔なときは、邪魔にならない位置まで外障子２をスライドさせればよい。その後、図１４（ｃ）に示すように、外障子２を全開にした状態で、外れ止め部品１０の右部材１０ｃを取付ける。
【００２２】
上記の手順は、外れ止め部品１０を室外側から取付ける場合であるが、外障子２と内障子３を適宜スライドさせつつ分割された外れ止め部品１０ａ，１０ｂ，１０ｃを順次取付けることで、外れ止め部品１０を室内側から取付けることも可能である。
また外れ止め部品１０は、同じ長さに二分割したもの、不均一の長さに二分割したものであってもよい。
【００２３】
図１５は、何らかの原因で外障子２が下がったときの状態を示している。このように本建具は、外障子２が下がって外障子２上部の上枠４との掛かりが無くなったときに、上枠４に設けた外れ止め部品１０の外れ止め片１２に外障子２の上部が引っ掛かることで、外障子２が室外側に外れるのを防止することができる。
【００２４】
以上に述べたように本実施形態の建具は、上枠４に外れ止め部品１０が設けてあり、外れ止め部品１０は、上枠４の室外側壁８の室内側面に当接して上框９の室外側に垂下する外れ止め片１２を有する略Ｌ形断面の長尺部材であり、上枠４のレール１１よりも室外側の上枠４と外障子２との間の隙間に配置され、上枠４の内周面４ａに取付けてあるので、外障子２が下がって外障子２上部の上枠４との掛かりが無くなったときに、外障子４が室外側に外れるのを確実に防止できる。外れ止め部品１０は、既存の枠１にそのまま取付け可能であり、また、障子２，３を枠１から取外すことなく取付けできるので、施工性が良い。また外れ止め部品１０は、上枠４の内周に取付けるため、躯体の状況に左右されることなく取付けでき、後付けが容易である。外れ止め部品１０は、上枠４の略全長に亘って設けてあるので、外障子２が上枠４の長手方向のどの位置にあっても、外障子２が室外側に外れるのを防止できる。
外れ止め部品１０が長手方向に複数に分割してあれば、障子２，３を適宜スライドさせることで外れ止め部品１０の取付け時に障子２，３が邪魔にならず、外れ止め部品１０の取付けが一層容易になる。
外れ止め部品１０は、障子２，３を閉鎖した状態では室内側からは見えず、室外側からも上枠４の室外側壁８に隠れてほとんど見えないので、建具の意匠性に影響を与えない。さらに、外れ止め片１２にクランク状に曲がる係止部３９を設け、係止部３９より下の部分１２ｂの室外側面を上枠４の室外側壁８の室外側面と面一にしたので、上枠４の室外側壁８と外れ止め片１２との間に段差が生じず、意匠性が向上する。外れ止め部品１０の取付けの際、外れ止め片１２の係止部３９を上枠４の室外側壁８の下縁に係止させることで、外れ止め部品１０の位置合わせができる。外れ止め片１２の下端部に室内側に突出する突部４０を有していることで、外障子２が下がって上枠４との掛かりが無くなったときに、外れ止め片１２の突部４０の先端で外障子２と線接触するため、外障子２を摺動させやすい。
外れ止め片１２が上枠４の室外側壁８の室内側に当接していることで、外障子２が下がって外障子２の上部が外れ止め片１２に引っ掛かったときに、外れ止め片１２が室外側に曲がろうとするのを上枠４の室外側壁８が規制するため、外障子２の外れを防止する効果が高い。また、外れ止め片１２を上枠４の室外側壁８の室内側に当接して配置したことで、外れ止め片１２が外障子２に風圧（負圧）を受けたときの補強になる。
【００２５】
以上に説明した第５実施形態は引違い窓の場合であったが、片引き窓や両袖片引き窓などの場合は、引戸障子をＦＩＸ側に寄せることで、外れ止め部品１０を分割しなくても引戸障子の幅分の外れ止め部品１０を取付けることができる。
【００２６】
本発明は以上に述べた実施形態に限定されない。外れ止め部品の形状、材質は、適宜変更することができる。外れ止め部品は、上枠の全長に亘って設けてなくてもよく、少なくとも障子閉鎖時に障子が位置する範囲の全部又は一部に設けてあればよい。実施形態は、内障子用の外れ止め部品と外障子用の外れ止め部品のどちらか一方を備えるものであったが、内障子用の外れ止め部品と外障子用の外れ止め部品の両方を備えるものであってもよい。本発明の建具は、引違い窓に限らず、片引き窓や引き込み窓に適用することもできる。
【符号の説明】
【００２７】
１  枠
２  外障子（障子）
３  内障子（障子）
４  上枠
５  上枠の室内側壁
６  外れ止め部品（内障子用）
７  外れ止め片
８  上枠の室外側壁
９  上框
１０  外れ止め部品（外障子用）
１１  レール
１２  外れ止め片
【図１】
2019203379.tif 000003
【図２】
2019203379.tif 000004
【図３】
2019203379.tif 000005
【図４】
2019203379.tif 000006
【図５】
2019203379.tif 000007
【図６】
2019203379.tif 000008
【図７】
2019203379.tif 000009
【図８】
2019203379.tif 000010
【図９】
2019203379.tif 000011
【図１０】
2019203379.tif 000012
【図１１】
2019203379.tif 000013
【図１２】
2019203379.tif 000014
【図１３】
2019203379.tif 000015
【図１４】
2019203379.tif 000016
【図１５】
2019203379.tif 000017